(57)【要約】【課題】端子間の電気的接続の信頼性を向上させる。【解決手段】フロントケース５０には、雌端子８０が実装された基板２０が収容されている。リアケース６０は、基板２０と対向するリア部６１と、リア部６１の前面６１ａから突出し雌端子８０と電気的に接続される雄端子７１が収容される前方ハウジング６２と、雄端子７１が先端に設けられたケーブル７０を支持する後方ハウジング６３とを有する。基板２０には、前方ハウジング６２と嵌合可能な基板ハウジング２２が固定されている。雌端子８０は、基板ハウジング２２内において、前後方向Ａに沿って延在している。雌端子８０及び雄端子７１は、基板ハウジング２２と前方ハウジング６２とを嵌合させたときに、前後方向Ａに沿って摺動しながら接触するとともに、両端子の接触によって上下方向Ｂに互いに弾性変形可能に構成されている。【選択図】図６
2017083756.tif 000002
【特許請求の範囲】
【請求項１】
レンズ部材及び前記レンズ部材を保護する保護部材の少なくとも一方が取り付けられているとともに、取り付けられた前記レンズ部材及び前記保護部材の少なくとも一方に対向するように形成された開口を有する第１ケースと、
撮像素子と電気的に接続された第１端子が実装され、前記第１ケースの内部に配置された基板と、
前記第１ケースの前記開口を塞ぐ第２ケースとを備えており、
前記第２ケースは、前記基板と対向する面が形成された対向部と、前記面から突出し、前記第１端子と電気的に接続される第２端子が収容された収容部と、前記第２端子が先端に設けられたケーブルを支持する支持部とを有し、
前記基板には、前記収容部と嵌合可能な嵌合部が固定され、
前記第１端子は、前記嵌合部の内側において、前記収容部と前記嵌合部との嵌合方向に沿って延在しており、
前記第１及び第２端子は、前記収容部と前記嵌合部とを嵌合させたときに、前記嵌合方向に沿って摺動しながら接触するとともに、両端子の接触によって前記嵌合方向と直交する第１方向に互いに弾性変形可能に構成されていることを特徴とする撮像装置。
【請求項２】
前記第１端子は、前記第１方向に互いに離隔して配置された一対の接触片を有するフォーク状端子からなることを特徴とする請求項１に記載の撮像装置。
【請求項３】
前記収容部は、前記嵌合部と嵌合したときに、前記嵌合方向及び前記第１方向と直交する第２方向において、前記第１端子の前記接触片と対向しつつ近接して配置された一対の第１規制壁を有していることを特徴とする請求項２に記載の撮像装置。
【請求項４】
前記嵌合部は、前記収容部と嵌合したときに、前記第１方向において、前記第２端子と対向しつつ近接して配置された一対の第２規制壁を有していることを特徴とする請求項１〜３のいずれか１項に記載の撮像装置。
【発明の詳細な説明】
【技術分野】
【０００１】
本発明は、撮像素子が搭載された基板を備えた撮像装置に関する。
【背景技術】
【０００２】
車両等に搭載される撮像装置としては、カメラケースと、カメラケースの内部に収容された基板とを有するものが知られている（例えば、特許文献１）。カメラケースは、レンズを保護する保護部材が取り付けられたフロントケースと、外部コネクタ（ケーブルの先端に設けられた端子と当該端子を収容するコネクタハウジングとを有する）が嵌合するリアケースとから構成されている。カメラケースの内部に収容される基板には、撮像素子に電気的に接続された雌端子が実装されている。雌端子は、基板に固定された収容ハウジングに収容されている。リアケースは、一端部が外部コネクタの端子と電気的に接続され、他端部が基板に実装された雌端子と電気的に接続される雄端子と、収容ハウジングに嵌合可能であり、雄端子の他端部が底部から突出する嵌合ハウジングとを有する。そして、収容ハウジングと嵌合ハウジングとが嵌合することで、雌端子と雄端子とが接触して電気的に接続され、外部コネクタと撮像素子とが電気的に接続される。
【先行技術文献】
【特許文献】
【０００３】
【特許文献１】特開２０１３−２１０４８０号公報
【発明の概要】
【発明が解決しようとする課題】
【０００４】
上記特許文献１に記載の撮像装置においては、基板に実装された雌端子が雄端子との接触によって、収容ハウジングと嵌合ハウジングとの嵌合方向と直交する直交方向に弾性変形可能に構成されているものの、雄端子は当該直交方向に弾性変形しない。撮像装置に振動や衝撃が生じると、雌端子の弾性変形だけでは吸収しきれずに、雌端子と雄端子とが直交方向に離隔し接触不良が生じることがある。
【０００５】
また、リアケースと外部コネクタとが別体で構成されていると、嵌合方向におけるサイズが大きくなって重量も増加し、さらには部品間にがたつきも生じやすくなる。このため、撮像装置に振動や衝撃が生じると、端子間に生じる振動や衝撃も大きくなり、端子同士の電気的接続の信頼性が低下する。さらに、部品点数が多くなるばかりか、端子同士の接触箇所（基板の雌端子とリアケースの雄端子との接触箇所、及び、リアケースの雄端子と外部コネクタの端子との接触箇所）も多いため、端子同士の電気的接続の信頼性が低下する。
【０００６】
そこで、本発明の目的は、端子間の電気的接続の信頼性を向上させることが可能な撮像装置を提供することである。
【課題を解決するための手段】
【０００７】
本発明の撮像装置は、レンズ部材及び前記レンズ部材を保護する保護部材の少なくとも一方が取り付けられているとともに、取り付けられた前記レンズ部材及び前記保護部材の少なくとも一方に対向するように形成された開口を有する第１ケースと、撮像素子と電気的に接続された第１端子が実装され、前記第１ケースの内部に配置された基板と、前記第１ケースの前記開口を塞ぐ第２ケースとを備えている。そして、前記第２ケースは、前記基板と対向する面が形成された対向部と、前記面から突出し、前記第１端子と電気的に接続される第２端子が収容された収容部と、前記第２端子が先端に設けられたケーブルを支持する支持部とを有し、前記基板には、前記収容部と嵌合可能な嵌合部が固定され、前記第１端子は、前記嵌合部の内側において、前記収容部と前記嵌合部との嵌合方向に沿って延在しており、前記第１及び第２端子は、前記収容部と前記嵌合部とを嵌合させたときに、前記嵌合方向に沿って摺動しながら接触するとともに、両端子の接触によって前記嵌合方向と直交する第１方向に互いに弾性変形可能に構成されている。
【０００８】
これによると、撮像装置に振動や衝撃が生じても、第１及び第２端子が第１方向に弾性変形可能であるため、一方の端子だけが第１方向に弾性変形するものと比して、端子間における振動や衝撃を吸収することができる。このため、第１端子と第２端子との電気的接続の信頼性が向上する。また、第２ケースは、ケーブルに接続された第２端子を収容しており、コネクタハウジングをも兼ねている。このため、第２ケースとコネクタとを別体で構成したものに比して、部材間のがたつきをなくすことができるとともに、嵌合方向におけるサイズを小型化して重量を小さくすることも可能となる。この結果、第１及び第２端子間に生じる振動や衝撃も小さくなり、第１端子と第２端子との電気的接続の信頼性が向上する。さらに、端子同士の接触箇所を減らすことが可能となり、第１端子と第２端子との電気的接続の信頼性が向上する。また、第２ケースがコネクタハウジングも兼ねていることで、第２ケースとコネクタとを別体で構成したものに比して、部品点数を減らすことが可能となる。
【０００９】
本発明において、前記第１端子は、前記第１方向に互いに離隔して配置された一対の接触片を有するフォーク状端子からなることが好ましい。これにより、第１端子が簡単な構成となる。
【００１０】
また、本発明において、前記収容部は、前記嵌合部と嵌合したときに、前記嵌合方向及び前記第１方向と直交する第２方向において、前記第１端子の前記接触片と対向しつつ近接して配置された一対の第１規制壁を有していることが好ましい。これにより、撮像装置に第２方向の振動が生じたときに、第１規制壁と接触片とが接触しやすくなり、第１端子と第２端子と接触箇所が安定する。このため、第１端子と第２端子との電気的接続の信頼性がより向上する。また、第１端子がフォーク状端子であるため、一対の第１規制壁で接触片を比較的広い面積で受けることが可能となる。
【００１１】
また、本発明において、前記嵌合部は、前記収容部と嵌合したときに、前記第１方向において、前記第２端子と対向しつつ近接して配置された一対の第２規制壁を有していることが好ましい。これにより、撮像装置に第１方向の振動が生じたときに、第２規制壁と第２端子とが接触しやすくなり、第１端子と第２端子と接触箇所が安定する。このため、第１端子と第２端子との電気的接続の信頼性がより向上する。
【発明の効果】
【００１２】
本発明の撮像装置によると、撮像装置に振動や衝撃が生じても、第１及び第２端子が第１方向に弾性変形可能であるため、一方の端子だけが第１方向に弾性変形するものと比して、端子間における振動や衝撃を吸収することができる。このため、第１端子と第２端子との電気的接続の信頼性が向上する。また、第２ケースは、ケーブルに接続された第２端子を収容しており、コネクタハウジングをも兼ねている。このため、第２ケースとコネクタとを別体で構成したものに比して、部材間のがたつきをなくすことができるとともに、嵌合方向におけるサイズを小型化して重量を小さくすることも可能となる。この結果、第１及び第２端子間に生じる振動や衝撃も小さくなり、第１端子と第２端子との電気的接続の信頼性が向上する。さらに、端子同士の接触箇所を減らすことが可能となり、第１端子と第２端子との電気的接続の信頼性が向上する。また、第２ケースがコネクタハウジングも兼ねていることで、第２ケースとコネクタとを別体で構成したものに比して、部品点数を減らすことが可能となる。
【図面の簡単な説明】
【００１３】
【図１】本発明の一実施形態に係る撮像装置の分解斜視図であり、撮像装置を後方からみた図である。
【図２】本発明の一実施形態に係る撮像装置のフロントケースとリアケースとを離隔させた状態における断面斜視図である。
【図３】（ａ）は図１に示すリアケースの斜視図であってリアケースを前方からみた図であり、（ｂ）はリアケースの拡大正面図である。
【図４】（ａ）は図１に示す基板に固定されたハウジングの斜視図であってハウジングを後方からみた図であり、（ｂ）は基板に固定されたハウジングの拡大正面図である。
【図５】（ａ）は基板に固定されたハウジングとリアケースの前面から突出するハウジングとが嵌合した状態における両ハウジングの嵌合方向に垂直な断面図であり、（ｂ）は図５（ａ）に示すV−V線に沿った断面図であり、（ｃ）は図５（ｂ）に示す両ハウジングの切断面を前方にずらしたときの断面図である。
【図６】（ａ）はフロントケースとリアケースとを接続する前の状況を示す部分断面図であり、（ｂ）は基板に固定されたハウジングとリアケースの前面から突出するハウジングとを嵌合させつつフロントケースとリアケースとを接続した時の状況を示す部分断面図である。
【発明を実施するための形態】
【００１４】
以下、本発明の好適な実施の形態について、図面を参照しつつ説明する。
【００１５】
図１及び図２に示すように、撮像装置１００は、カメラケース１０と、カメラケース１０の内部に収容される基板２０とを含む。図２に示すように、基板２０には、レンズ部材２１が取り付けられている。撮像装置１００は、車両等に搭載され、車両の外部景色を撮像する。
【００１６】
［カメラケース］
カメラケース１０は、レンズを保護する保護部材４０が一体的に取り付けられた箱状のフロントケース（第１ケース）５０と、リアケース（第２ケース）６０とを有する。フロントケース５０とリアケース６０とは、シール部材等を介して当接し、ネジにより一体に固定されることにより、防水構造が構成される。フロントケース５０及びリアケース６０は樹脂により形成されている。また、保護部材４０には、例えば、樹脂により形成された透明な部材やフィルム状の透明な部材を用いることができる。
【００１７】
＜フロントケース＞
図１及び図２に示すように、フロントケース５０の前端部には、保護部材４０が一体的に形成されている。フロントケース５０の後端部には開口５２が形成されている。また、フロントケース５０の内側面には、基板２０を固定するための固定板（不図示）が形成されている。
【００１８】
＜リアケース＞
リアケース６０は、図１及び図２に示すように、リア部（対向部）６１と、前方ハウジング（収容部）６２と、後方ハウジング（支持部）６３とを有する。リア部６１は、フロントケース５０の後端部の開口５２を塞ぐ。前方ハウジング６２は、リア部６１の基板２０と対向する前面６１ａからフロントケース５０に向かって前方に突出する。後方ハウジング６３は、リア部６１の後面６１ｂから後方に向かって突出する。前方ハウジング６２及び後方ハウジング６３は、リア部６１を挟んで前後方向Ａに沿って互いに対向する位置に形成されている。
【００１９】
後方ハウジング６３には、後方に向かって開口する凹部６３ａが形成されている。リアケース６０には、後方ハウジング６３（すなわち凹部６３ａの底部６３ｂ）、リア部６１及び前方ハウジング６２に前後方向Ａに亘って形成された５つの穴６５が形成されている。これら穴６５内には、凹部６３ａから挿入された５本のケーブル７０が配置されている。つまり、後方ハウジング６３は、５本のケーブル７０を支持する。
【００２０】
ケーブル７０は、図２に示すように、先端に雄端子７１が設けられている。雄端子７１（第２端子）は、金属板を折り曲げて形成されており、ケーブル７０の芯線（不図示）と接続されている。また、雄端子７１は、上下方向Ｂに離隔しつつ前後方向Ａに沿って略平行となるように金属板が後方に折り曲げられてなる接触部７２を有する。凹部６３ａ内には、５本のケーブル７０と凹部６３ａとの隙間を封止するためのシール部材６４が設けられている。
【００２１】
前方ハウジング６２は、図３に示すように、前方に向かって開口する凹部６２ａを画定する環状壁６２ｂを有する。環状壁６２ｂは、左右方向Ｃに延在する上壁６２ｂ１及び下壁６２ｂ２と、上下方向Ｂに延在し、これら上壁６２ｂ１及び下壁６２ｂ２の左右方向Ｃの両端を繋ぐ２つの側壁６２ｂ３，６２ｂ４とで構成されている。上壁６２ｂ１及び下壁６２ｂ２には、上述の穴６５の前方部分６５ａ（図２参照）がそれぞれ形成されており、当該前方部分６５ａに雄端子７１が配置されている。また、上壁６２ｂ１には、前方部分６５ａと対応する位置において上下に開口する６つの開口部６２ｃ１が形成されており、雄端子７１の接触部７２が開口部６２ｃ１を介して上壁６２ｂ１から上下に露出している。下壁６２ｂ２にも、前方部分６５ａと対応する位置において上下に開口する４つの開口部６２ｃ２が形成されており、雄端子７１の接触部７２が開口部６２ｃ２を介して下壁６２ｂ２から上下に露出している。上壁６２ｂ１及び下壁６２ｂ２には、各壁６２ｂ１，６２ｂ２の上側にある開口部６２ｃ１，６２ｃ２毎に一対の規制壁６２ｄが設けられている。
【００２２】
一対の規制壁（第１規制壁）６２ｄは、開口部６２ｃ１，６２ｃ２内において、前後方向Ａに関して開口部６２ｃ１，６２ｃ２の後端から中央まで延在している。また、一対の規制壁６２ｄは、雄端子７１と上下方向Ｂに沿って対向する位置に配置されている。また、一対の規制壁６２ｄは、その左右方向Ｃの離隔距離が雌端子８０の接触片８１（後述する）の左右方向Ｃの厚みよりも大きく、図５（ａ）及び図５（ｂ）に示すように、前方ハウジング６２と基板ハウジング２２（後述する）とが嵌合したときに、左右方向Ｃにおいて接触片８１と互いに対向しつつ近接して配置される。また、一対の規制壁６２ｄは、前方ハウジング６２と基板ハウジング２２とが嵌合したときに、雄端子７１の接触部７２と上下方向Ｂに対向する位置に配置されている。これにより、撮像装置１００に左右方向Ｃの振動が生じても、左右方向Ｃに関して雌端子８０の接触片８１が雄端子７１の接触部７２との接触が外れる位置までずれることがなくなる。このため、雌端子８０と雄端子７１との電気的接続の信頼性が向上する。
【００２３】
＜基板＞
基板２０の前面２０ａには、図２に示すように、ＣＣＤ又はＣＭＯＳ等の撮像素子（不図示）が実装されているとともにレンズ部材２１が取り付けられている。基板２０の後面２０ｂには、図１に示すように、リアケース６０に向かって突出する基板ハウジング２２が固定されている。ハウジング（嵌合部）２２は、図４に示すように、後方（すなわち、リアケース６０）に向かって開口する凹部２２ａを有する。基板ハウジング２２には、基板２０の後面２０ｂに実装された５つの雌端子８０が収容されている。
【００２４】
雌端子（第１端子）８０は、図２に示すように、金属板が打ち抜かれることで形成されたフォーク状端子であって、一対の接触片８１と、接続片８２と、固定片８３とを有している。一対の接触片８１は、上下方向Ｂに互いに離隔して配置されている。また、一対の接触片８１は、前後方向Ａに沿って延在し、凹部２２ａの底面２２ａ１に形成された孔２２ａ２に挿入され、当該底面２２ａ１から後方に突出して配置されている。また、一対の接触片８１の先端部（後端部）には、互いに近づく方向に突出した接触部８１ａを有している。接続片８２は、上下方向Ｂに沿って延在し一対の接触片８１の前端と接続されている。これにより、一対の接触片８１は、先端部（後端部）が上下方向Ｂに変位可能、すなわち弾性変形可能に構成されている。固定片８３は、接続片８２の一端部に形成されており、雌端子８０を基板ハウジング２２に固定するためのものである。雌端子８０の接続片８２は、基板２０上の配線を介して基板２０に搭載された撮像素子と電気的に接続されている。
【００２５】
基板ハウジング２２は、凹部２２ａを画定する環状壁２２ｂを有する。環状壁２２ｂは、左右方向Ｃに延在する上壁２２ｂ１及び下壁２２ｂ２と、上下方向Ｂに延在し、これら上壁２２ｂ１及び下壁２２ｂ２の左右方向Ｃの両端を繋ぐ２つの側壁２２ｂ３，２２ｂ４とで構成されている。基板ハウジング２２は、図４（ｂ）に示すように、各雌端子８０の一方の接触片８１の基端部（前方部分）を支持する５つの支持部２２ｄを有する。これら支持部２２ｄは、底面２２ａ１の孔２２ａ２近傍から後方に向かって突出した略直方体形状の一対の支持片２２ｄ１から構成されており、接触片８１を左右方向Ｃから挟むようにして支持している。上方に位置する３つの支持部２２ｄは、上壁２２ｂ１と底面２２ａ１との角部に、左右方向Ｃに互いに離隔して配置されている。下方に位置する２つの支持部２２ｄは、下壁２２ｂ２と底面２２ａ１との角部に、左右方向Ｃに互いに離隔して配置されている。
【００２６】
基板ハウジング２２は、図２及び図４に示すように、凹部２２ａの底面２２ａ１の中央から後方に突出する突出部２２ｃを有する。突出部２２ｃは、前方ハウジング６２の凹部６２ａに嵌合可能な略直方体形状を有する。突出部２２ｃは、上面及び下面に各雌端子８０の他方の接触片８１が収容される５つの溝２２ｃ１が形成されている。溝２２ｃ１は、前後方向Ａに沿って延在しており、図２に示すように、各雌端子８０の他方の接触片８１が弾性変形によって上下方向Ｂに変位可能な大きさに形成されている。
【００２７】
また、支持部２２ｄと、突出部２２ｃの支持部２２ｄと対向する対向部分２２ｃ２とで一対の規制壁（第２規制壁）が構成されている。支持部２２ｄと対向部分２２ｃ２は、図５（ｃ）に示すように、前方ハウジング６２と基板ハウジング２２とが嵌合したときに、上下方向Ｂにおいて雄端子７１の接触部７２と互いに対向しつつ近接して配置される。また、前方ハウジング６２と基板ハウジング２２との嵌合時における、支持部２２ｄと雄端子７１との上下方向Ｂの離隔距離と、対向部分２２ｃ２と雄端子７１との上下方向Ｂの離隔距離との合計が、雌端子８０の一対の接触片８１の弾性変形による最大変位量よりも小さくなるように設定されている。これにより、撮像装置１００に上下方向Ｂの振動が生じたときに、雌端子８０の一対の接触片８１が塑性変形するほどの力が雄端子７１から加えられる前に、支持部２２ｄと対向部分２２ｃ２のいずれかが雄端子７１の接触部７２と接触する。このため、雌端子８０の一対の接触片８１が塑性変形しなくなり、雌端子８０と雄端子７１との電気的接続の信頼性が向上する。
【００２８】
＜撮像装置の組立工程＞
続いて、撮像装置の組立工程について、以下に説明する。図６（ａ）に示すように、基板２０をフロントケース５０の内部に収容する。ここで、基板２０に搭載された撮像素子の光軸と保護部材４０の光軸とが一致するように、基板２０をフロントケース５０に固定する。また、リアケース６０の凹部６３ａから５本のケーブル７０を挿入し、雄端子７１を前方ハウジング６２内に収容するとともに、後方ハウジング６３でケーブル７０を支持する。この後、凹部６３ａにシール部材６４を配置させ、凹部６３ａと５本のケーブル７０との間から液体などの浸入を防ぐ。
【００２９】
次に、図６（ｂ）に示すように、前方ハウジング６２を基板ハウジング２２に嵌合させると共に、フロントケース５０の開口５２をリアケース６０のリア部６１で塞ぐ。このとき、左右方向Ｃに関して、上壁６２ｂ１の一部が、上方にある互いに隣接する２つの雌端子８０の一対の接触片８１の一方（支持部２２ｄに支持された方）間に配置される。その過程において、接触部８１ａが開口部６２ｃ１を介して雄端子７１の接触部７２と嵌合方向（すなわち前後方向Ａに平行な方向）に摺動しながら接触する。また、このとき、左右方向Ｃに関して、下壁６２ｂ２の一部が、下方にある２つの雌端子８０の一対の接触片８１の一方（支持部２２ｄに支持された方）間に配置される。その過程において、接触部８１ａが開口部６２ｃ２を介して雄端子７１の接触部７２と嵌合方向に摺動しながら接触する。一対の接触片８１の接触部８１ａ間の離隔距離は、雄端子７１の接触部７２の上下方向Ｂの厚みよりも若干小さくなっている。このため、一対の接触片８１間に雄端子７１の接触部７２が配置されると、一対の接触片８１のうち溝２２ｃ１に収容された接触片８１が弾性変形して一対の接触片８１の接触部８１ａ間の離隔距離が広がるとともに、図６（ｂ）中矢印で示すように、一対の接触片８１が接触部７２を挟持する。さらに雄端子７１の接触部７２は、金属板が上下方向Ｂに離隔してなるため、一対の接触片８１の挟持力によって金属板同士の離隔距離が小さくなるように弾性変形する。このように雌端子８０及び雄端子７１は、互いに上下方向Ｂに弾性変形可能に構成されている。こうして、ケーブル７０の雄端子７１と雌端子８０とが電気的に接続され、撮像素子とケーブル７０とが電気的に接続される。
【００３０】
そして、リア部６１をフロントケース５０にネジにより固定する。こうして、撮像装置１００の組立が終了する。
【００３１】
以上のように、上述の撮像装置１００によると、撮像装置１００に振動や衝撃が生じても、雌端子８０及び雄端子７１の両方が上下方向Ｂに弾性変形可能であるため、一方の端子だけが上下方向Ｂに弾性変形するものと比して、雌端子８０及び雄端子７１の端子間における振動や衝撃を吸収することができる。このため、雌端子８０と雄端子７１との電気的接続の信頼性が向上する。
【００３２】
また、リアケース６０は、ケーブル７０の先端に設けられた雄端子７１を収容している。つまり、リアケース６０は、コネクタハウジングをも兼ねている。このため、リアケース６０とコネクタとを別体で構成したものに比して、部材間のがたつきをなくすことができるとともに、嵌合方向（前後方向Ａ）におけるサイズを小型化して重量を小さくすることも可能となる。この結果、雌端子８０及び雄端子７１の端子間に生じる振動や衝撃も小さくなり、雌端子８０と雄端子７１との電気的接続の信頼性が向上する。さらに、リアケース６０とコネクタとを別体で構成した場合では、リアケースにコネクタの端子と電気的に接続するための端子を設けることとなるが、リアケース６０は、コネクタハウジングをも兼ねており、端子同士の接触箇所を減らすことが可能となる。このため、雌端子８０と雄端子７１との電気的接続の信頼性が向上する。また、リアケース６０がコネクタハウジングも兼ねていることで、リアケース６０とコネクタとを別体で構成したものに比して、部品点数を減らすことが可能となる。
【００３３】
また、雌端子８０がフォーク状端子からなることで、当該雌端子８０が簡単な構成となる。
【００３４】
また、一対の規制壁６２ｄを有していることで、撮像装置１００に左右方向Ｂの振動が生じたときに、規制壁６２ｄと接触片８１とが接触しやすくなる。このため、雌端子８０と雄端子７１との接触箇所が安定する。この結果、雌端子８０と雄端子７１との電気的接続の信頼性がより向上する。また、雌端子８０がフォーク状端子であるため、一対の規制壁６２ｄで接触片８１を比較的広い面積で受けることが可能となる。
【００３５】
また、一対の規制壁として、支持部２２ｄと突出部２２ｃの対向部分２２ｃ２とを有していることで、撮像装置１００に上下方向Ｂの振動が生じたときに、支持部２２ｄ及び対向部分２２ｃ２と雄端子７１の接触部７２とが接触しやすくなる。このため、雌端子８０と雄端子７１との接触箇所が安定する。この結果、雌端子８０と雄端子７１との電気的接続の信頼性がより向上する。
【００３６】
以上、本発明の好適な実施の形態について説明したが、本発明は上述の実施形態に限られるものではなく、特許請求の範囲に記載した限りにおいて様々な変更が可能なものである。例えば、上述の実施形態においては、基板２０に実装された端子が雌端子８０であり、ケーブル７０の先端に設けられた端子が雄端子７１であるが、雄端子８０と雌端子７１とが入れ替わっていてもよい。また、雌端子８０がフォーク状端子でなくてもよい。また、雌端子８０及び雄端子７１は、相手側端子と接触することで嵌合方向と直交する方向に弾性変形可能であれば、どのような端子構造であってもよい。
【００３７】
一対の規制壁６２ｄは、設けられていなくてもよいし、前方ハウジング６２と基板ハウジング２２とが嵌合したときに、左右方向Ｃにおいて雌端子８０の接触片８１と近接していなくてもよい。また、一対の規制壁としての支持部２２ｄと突出部２２ｃの対向部分２２ｃ２が、前方ハウジング６２と基板ハウジング２２とが嵌合したときに、上下方向Ｂにおいて雄端子７１の接触部７２と近接していなくてもよい。
【００３８】
また、上述の実施形態では、レンズ部材２１が基板２０に取り付けられている場合について説明したが、レンズ部材２１は保護部材４０の代わりにフロントケース５０の前端部に取り付けられていてもよい。この場合、フロントケース５０の前端部に、保護部材が取り付けられたレンズ部材を配置してもよい。また、上述の実施形態において、２つのレンズ部材を用い、一方のレンズ部材を基板２０に取り付け、他方のレンズ部材をフロントケース５０の前端部に取り付けてもよい。また、フロントケース５０の前端部に保護部材４０を配置し、レンズ部材をフロントケース５０の内部に配置されるようにフロントケース５０に取り付けてもよい。また、保護部材４０とフロントケース５０とが別部材で構成されていてもよい。また、レンズ部材及び保護部材は、上述の実施形態に示す構成（形状や材料等）に限られず、変更可能なものである。
【００３９】
また、上述の実施形態におけるリアケース６０の極数が５極であったが、当該極数は変更可能である。
【符号の説明】
【００４０】
２０  基板
２１  レンズ部材
２２  基板ハウジング（嵌合部）
２２ｃ２  対向部分（第２規制壁）
２２ｄ  支持部（第２規制壁）
４０  保護部材
５０  フロントケース（第１ケース）
５２  開口
６０  リアケース（第２ケース）
６１  リア部（対向部）
６１ａ  前面
６２  前方ハウジング（収容部）
６２ｄ  規制壁（第１規制壁）
６３  後方ハウジング（支持部）
７０ケーブル
７１  雄端子（第２端子）
８０  雌端子（第１端子）
８１  接触片
１００  撮像装置
Ａ  前後方向（嵌合方向）
Ｂ  上下方向（第１方向）
Ｃ  左右方向（第２方向）
【図１】
2017083756.tif 000003
【図２】
2017083756.tif 000004
【図３】
2017083756.tif 000005
【図４】
2017083756.tif 000006
【図５】
2017083756.tif 000007
【図６】
2017083756.tif 000008